(57)【特許請求の範囲】
【請求項１】
複数の水切り穴が形成されている可撓性フィルムからなる袋本体と、
前記袋本体の開口縁の一部から突出している第１突出片と、
前記袋本体の開口縁における前記第１突出片とは異なる部位から突出している第２突出片と、
前記第１突出片を差し通すために前記袋本体の側面に形成した少なくとも１個の通し穴と、
前記第１突出片に取り付けた粘着剤層と、
を有しており、
前記袋本体は、可撓性フィルムからなる同一形状の第１側面フィルム片および第２側面フィルム片を備え、前記第１、第２側面フィルム片の下端縁および左右の側縁が相互に繋がっており、それらの上端縁によって前記開口縁が規定されており、
前記第１側面フィルム片の先端縁において、当該先端縁の左右の端から幅方向の内側に離れた位置から、当該先端縁よりも狭い第１幅で所定長さ分だけ延びている第１フィルム延長部分によって前記第１突出片が規定され、
前記第２側面フィルム片の先端縁において、当該先端縁の左右の端から幅方向の内側に離れた位置から、当該先端縁よりも狭い前記第１幅で所定長さ分だけ延びている第２フィルム延長部分によって前記第２突出片が規定されており、
前記第２側面フィルム片および前記第２フィルム延長部分の幅方向の中央位置において、これらの境界部分に、前記通し穴が形成されており、
前記下端縁は一枚もののフィルム片の折り畳み縁であり、左右の前記側縁のそれぞれは、前記フィルム片を前記折り畳み縁に沿って折りたたむことで形成される前記第１側面フィルム片および前記第２側面フィルム片の幅方向の両側の側縁を相互にヒートシールして接合して形成されており、
前記袋本体２の前記下端縁の側の袋底部分はマチ付きの底部となっており、
前記第１側面フィルム片の先端縁の左右の端から、前記第１突出片の左右の端までの距離は、それぞれ、前記底部のマチ幅と同一であり、
前記第１突出片の一方の面には、当該第１突出片の先端縁に沿って、当該第１突出片の先端縁の全幅に亘って、前記粘着剤層が取り付けられているシール付きゴミ袋。
【請求項２】
請求項１に記載のシール付きゴミ袋において、
前記第１突出片を規定している前記第１フィルム延長部分における前記第１側面フィルム片の前記先端縁に繋がっている左右の隅部分はそれぞれ凹曲線形状をしており、
前記第２突出片を規定している前記第２フィルム延長部分における前記第２側面フィルム片の前記先端縁に繋がっている左右の隅部分はそれぞれ凹曲線形状をしているシール付きゴミ袋。
【請求項３】
請求項１または２に記載のシール付きゴミ袋において、
前記第１突出片は、前記開口縁からの突出長さが前記第２突出片よりも長いシール付きゴミ袋。
【発明の詳細な説明】
【技術分野】
【０００１】
本発明は、台所の流し台のコーナー等に貼り付けて水切り袋等として用いることのできるシール付きゴミ袋に関する。
【背景技術】
【０００２】
台所で発生する厨芥、例えば食事の下ごしらえをする際に発生する生ゴミなどは、流し台のコーナーなどに配置したプラスチック製、金属製などの水切りかごに回収している。特許文献１、２においては、水切りかごの代わりに、プラスチック製フィルムなどから形成した使い捨ての水切り袋が提案されている。
【０００３】
これらの特許文献１、２に記載の水切り袋は、水切り穴が形成されている袋の開口部の側に粘着テープ（粘着剤層）が取り付けられており、水切り袋を流し台のコーナーなどの側面に貼り付けることによって、水切り袋を吊り下げた状態で保持できるようになっている。粘着テープ付きの水切り袋は、流し台の縁などの所望の場所に貼り付けて使用できるので便利である。
【先行技術文献】
【特許文献】
【０００４】
【特許文献１】特開２００６−１６１３５号公報
【特許文献２】特開２００５−３１４０３１号公報
【発明の概要】
【発明が解決しようとする課題】
【０００５】
上記のような使い捨ての水切り袋は、厨芥によって一杯になると、水を切った後に口を閉じて所定の場所に廃棄される。厨芥で一杯となった水切り袋の口を閉じるために、特許文献２に記載の水切り袋においては、粘着テープを利用して口を閉じるようにしている。
【０００６】
しかしながら、水場で使用した後の水切り袋の粘着テープは水分あるいは異物が付着して粘着力が低下しており、厨芥が詰まった水切り袋の口を確実に閉じることができない場合があり、実用的ではない。そこで、水切り袋の口部に口部封鎖用の紐、テープ状の片を設けて、口を縛ることが考えられる。しかし、そのような部位を設けると、使い捨ての水切り袋の製作コストが嵩み、また、紐などを結ぶ際に手が汚れるなどの問題もあるので、やはり実用的ではない。
【０００７】
本発明の課題は、このような点に鑑みて、廉価な構造により簡単に口を塞ぐことのできる使い捨てに適した水切り袋等として用いることのできるシール付きゴミ袋を提供することにある。
【課題を解決するための手段】
【０００８】
上記の課題を解決するために、本発明のシール付きゴミ袋は、
複数の水切り穴が形成されている可撓性フィルムからなる袋本体と、
前記袋本体の開口縁の一部から突出している第１突出片と、
前記第１突出片を差し通すために前記袋本体の側面に形成した少なくとも１個の通し穴と、
前記袋本体あるいは前記第１突出片に取り付けた粘着剤層と、
を有しており、
前記通し穴は、前記袋本体の胴回り方向に見た場合に、前記第１突出片が形成されてい
る部分から外れた部分に形成されていることを特徴としている。
【０００９】
本発明のシール付きゴミ袋は、台所の流し台のコーナーなどの上面あるいは側面に配置して使用される。例えば、粘着テープなどによって貼り付けて使用される。シール付きゴミ袋に厨芥が溜まると、流し台から外して所定の場所に廃棄される。シール付きゴミ袋の開口縁には第１突出片および通し穴が形成されており、第１突出片を通し穴に通すことが可能である。第１突出片を、通し穴に通して反対側に引き出すと、厨芥の詰まったシール付きゴミ袋の口が閉じられた状態が形成される。
【００１０】
通し穴に第１突出片を通すというワンタッチ操作でシール付きゴミ袋の口を閉じることができるので便利である。また、通し穴を開けておくだけでよいので、口を閉じるための紐、テープなどを取り付けておく必要がないので廉価に製作できる。さらに、粘着剤層を利用して口を閉じる場合とは異なり、確実にシール付きゴミ袋の口を封鎖できる。
【００１１】
ここで、異なる位置に複数の通し穴を形成しておくことができる。このようにすれば、通し易い位置にある通し穴に第１突出片を通せばよいので、厨芥の詰まったシール付きゴミ袋の口を閉じる操作を簡単に行うことができる。また、例えば、開口縁からの距離が異なる位置に通し穴を形成しておけば、内部に詰まっている厨芥の量が多い場合には開口縁に近い位置にある通し穴に第１突出片を通し、厨芥の量が少ない場合には開口縁から遠い位置にある通し穴に第１突出片を通せばよい。これにより、厨芥が詰まったシール付きゴミ袋を所定の廃棄場所まで持ち出す際などにおいて厨芥がシール付きゴミ袋内で移動しないように、シール付きゴミ袋の口を封鎖できる。
【００１２】
本発明のシール付きゴミ袋は、袋本体あるいは第１突出片に取り付けた粘着剤層を有している。粘着剤層によってシール付きゴミ袋を流し台の所望の部位に貼り付けて使用することができるので便利である。
【００１３】
本発明のシール付きゴミ袋において、前記袋本体の胴周り方向に沿って見た場合に、前記袋本体の開口縁における前記第１突出片とは異なる部位から突出している第２突出片を有していることが望ましい。これらの第１、第２突出片は、袋本体を持つための持ち手として利用できる。
【００１４】
この場合、通し穴に通される側の持ち手（第１突出片）を、他方の持ち手（第２突出片）よりも長い持ち手とすることができる。双方を同一長さとしてもよい。
【００１５】
一方を長くした場合には、例えば、長い方の持ち手を通し穴に通す。通し穴への通し操作が容易であり、また、シール付きゴミ袋の口を確実に封鎖することができる。
【００１６】
また、長い方の持ち手（第１突出片）に粘着剤層を取り付けることができる。長い方の持ち手に取り付けた粘着剤層の貼り付け位置を調整することによって、流し台のシンクに取り付けられるシール付きゴミ袋の高さ位置の調整幅を大きくできる。
【００１７】
さらに、通し穴を、前記袋本体の前記側面の部位、持ち手（第２突出片）の部位、および、持ち手（第２突出片）と前記袋本体の前記側面との境界部分のうちの少なくとも一つの部位に形成すればよい。
【図面の簡単な説明】
【００１８】
【図１】本発明を適用したシール付きゴミ袋の一例を示す説明図である。
【図２】図１のシール付きゴミ袋の使用状態を示す説明図である。
【図３】図１のシール付きゴミ袋の口を閉じる操作を示す説明図である。
【発明を実施するための形態】
【００１９】
以下に、図面を参照して本発明を適用したシール付きゴミ袋の実施の形態を説明する。なお、本発明のシール付きゴミ袋は以下に述べる実施の形態の構造に限定されるものではない。
【００２０】
図１（ａ）は本実施の形態に係るシール付きゴミ袋を広げた状態を示す説明図であり、図１（ｂ）は平らに折り畳んだ状態を示す説明図である。
【００２１】
これらの図を参照して説明すると、シール付きゴミ袋１は、液体不透過性のポリプロピレンなどのプラスチック製の可撓性フィルムからなる袋本体２を備えている。袋本体２は、同一形状の第１側面フィルム片３および第２側面フィルム片４を備え、これらのフィルム片３、４の下端縁２ａ、両側の側縁２ｂ、２ｃが相互に繋がっており、上端縁が開口縁２ｄとなっている。
【００２２】
本例では、下端縁２ａは一枚もののフィルム片の折り畳み縁であり、両側の側縁２ｂ、２ｃは双方のフィルム片３、４の両側の側縁を相互にヒートシールして接合してある。また、袋本体２の下端縁２ａの側の袋底部分がマチ付きの底部５となっている。さらに、袋本体２における下端縁２ａから開口縁２ｄまでの下半部分には一定の間隔で多数の水切り穴６が形成されている。
【００２３】
袋本体２を形成している第１側面フィルム片３の上端縁には、図１（ｂ）に示すように、当該上端縁を、それよりも狭い第１幅で第１長さ分だけ延ばすことによって形成された略矩形の第１突出片（第１フィルム延長部分）が第１持ち手７として一体形成されている。同様に、第２側面フィルム片４の上端縁においても、当該上端縁を、それよりも狭い第２幅で第２長さ分だけ延ばすことによって形成された略矩形の第２突出片（第２フィルム延長部分）が第２持ち手８として一体形成されている。すなわち、第１、第２持ち手７、８は、袋本体２の胴回り方向において、異なる位置となるように形成されている。本例では、第１、第２持ち手７、８の幅は同一であるが、長さは第１持ち手７の方が長い。なお、第１、第２持ち手７、８を同一幅、同一長さとすることもできる。また、第１、第２持ち手７、８を異なる幅とすることもできる。
【００２４】
長い方の第１持ち手７の一方の面、例えば袋外側面には、その先端縁７ａに沿って、一定幅で略先端縁７ａの全幅に亘って粘着剤層９が取り付けられている。短い方の第２持ち手８の側には、第１持ち手７を通すことができる大きさの通し穴１０が形成されている。本例では、第２持ち手８と第２側面フィルム片４との間の境界部分において、それらの幅方向の中央に、１個の円形の通し穴１０が形成されている。粘着剤層９は短い方の持ち手に取り付けることもできる。通し穴１０は、第２持ち手８の側において、当該第２持ち手８の部位あるいは第２側面フィルム片４の部位に形成してもよい。また、複数個所に形成することもできる。
【００２５】
シール付きゴミ袋１は、例えば、図１（ｂ）に示すように、第１、第２側面フィルム片３、４が重なるように平らに折り畳んだ状態において、その幅が３２０ｍｍ、下端縁２ａから開口縁２ｄまでの高さが１７０ｍｍ、底部５のマチが６０ｍｍ、第１、第２持ち手７、８の幅が２００ｍｍ、第１、第２持ち手７、８の両端から側縁２ｂ、２ｃまでの距離がそれぞれ６０ｍｍ、下端縁２ａから第１持ち手７の先端縁７ａまでの高さが２８０ｍｍ、下端縁２ａから第２持ち手８の先端縁８ａまでの高さが２２０ｍｍである。また、水切り穴６は直径２ｍｍの円形穴であり、下端縁２ａから８０ｍｍまでの高さ位置までの範囲に形成されている。通し穴１０は３０ｍｍの直径の円形穴である。なお、これらの寸法、形状は一例であり、本発明のシール付きゴミ袋の各部の寸法、形状は、これらの寸法、形状
に限定されるものではないことは勿論である。例えば、通し穴は、円形穴以外の形状、四角穴などでもよく、また、切り込み、ミシン目などであってもよい。
【００２６】
図２は上記構成のシール付きゴミ袋１の使用状態を示す説明図である。図２（ａ）に示すように、シール付きゴミ袋１の袋本体２を拡げて、その第１持ち手７の粘着剤層９を台所の流し台２１の縁部の天面２２に貼り付ける。これにより、シール付きゴミ袋１は流し台２１の側面の所定高さ位置に吊り下げられた状態で保持される。なお、第２持ち手８は開口縁２ｄに沿って外側に折り返された状態にする（図１（ａ）参照）。
【００２７】
この状態で、例えば、図２（ｂ）に示すように、シール付きゴミ袋１の第１持ち手７を覆い隠すように、まな板２３を天面２２に載せる。食事の下ごしらえなどによって出る厨芥をシール付きゴミ袋１に捨てる（図２（ｃ）、（ｄ）参照）。シール付きゴミ袋１に厨芥が詰まって一杯になった後は、シール付きゴミ袋１を流し台２１から取り外して、その口を閉じて所定の場所に廃棄する。
【００２８】
図３は厨芥の詰まったシール付きゴミ袋１の口を閉じる操作を示す説明図である。まず、図３（ａ）に示すように、第１、第２持ち手７、８を左右の手で掴む。次に、図３（ｂ）に示すように、第２持ち手８に形成されている通し穴１０に、第１持ち手７を通して、第２持ち手８の反対側から引き出す。図３（ｃ）に示すように、通し穴１０から引き出した第１持ち手７を強く引き出すことにより、簡単にシール付きゴミ袋１の口を閉じることができる。このようにして口を閉じた後に、厨芥の詰まったシール付きゴミ袋１を所定の場所に廃棄する。
【００２９】
（その他の実施の形態）
上記のシール付きゴミ袋１は、通し穴１０が１箇所に形成されている。通し穴１０の個数は１個に限らず、複数個であってもよい。例えば、第２持ち手８の側において異なる位置に複数の通し穴１０を形成してもよい。また、第２持ち手８も所定長さとして、第１持ち手７の側に第２持ち手８を通すための通し穴を更に設けることも可能である。
【００３０】
上記のシール付きゴミ袋１では、液体不透過性のフィルムに水切り穴を形成している。この代わりに、可撓性フィルムとして、メッシュフィルムあるいはネットフィルムなどの多孔質素材からなるフィルムを用いることも可能である。例えば、袋本体２の底側の部分を多孔質素材のフィルムから形成し、袋本体２の開口縁２ｄの側の部分を液体不透過性のフィルムから形成することも可能である。
【００３１】
上記のシール付きゴミ袋１では粘着剤層は露出状態にあるが、両面粘着テープなどを取り付けて使用時に剥離紙をはがして使用することも可能である。また、粘着剤層を複数個所に取り付けておくことも可能である。
【００３２】
上記のシール付きゴミ袋１では、袋本体２の開口縁２ｄに、一対の持ち手（第１、第２持ち手７、８）を形成している。一つの持ち手のみを形成し、これを通すための通し穴を形成した構成のシール付きゴミ袋とすることも可能である。
【００３３】
上記のシール付きゴミ袋１は粘着剤層を備えている。これを省略して、通し穴１０を利用してシール付きゴミ袋１を所定の場所に吊り下げるようにしてもよい。あるいは、吊り下げ用のフックを通すための穴を別に設けることも可能である。
【符号の説明】
【００３４】
１    シール付きゴミ袋
２    袋本体
２ａ  下端縁
２ｂ、２ｃ  側縁
２ｄ  開口縁
３    第１側面フィルム片
４    第２側面フィルム片
５    底部
６    水切り穴
７    第１持ち手
７ａ  先端縁
８    第２持ち手
８ａ  先端縁
９    粘着剤層
１０  通し穴
２１  流し台
２２  天面
２３  まな板
【図１】
0006737495.tif 000002
【図２】
0006737495.tif 000003
【図３】
0006737495.tif 000004